(57)【要約】  車両用タイヤの未硬化ブランクの製造方法において、ゴムのストリップ（３０）を押し出してこれが２つの部材（１８，１０）相互間を通るように製作し、２つの部材のうちの一方は、ストリップを押し出すローラ（１８）を形成し、ストリップの移動方向に垂直な平面内にストリップの同一断面を形成すると共に部材にそれぞれ同時に圧接するストリップのフェース（２１，２３）を互いに異なる直線速度（Ｖr，Ｖt）で駆動し、部材（１８，１０）が該部材相互間でストリップを延伸するようにする、方法。【選択図】図３
2013537121.tif 000002
【特許請求の範囲】
【請求項１】
車両用タイヤの未硬化ブランク（３４）の製造方法において、ゴムのストリップ（３０）を押し出して該ストリップが２つの部材（１８，１０）相互間を通るよう製作し、前記２つの部材のうちの一方は、前記ストリップを押し出すローラ（１８）を形成し、前記ストリップの移動方向に垂直な平面内に前記ストリップの同一断面を形成すると共に前記部材にそれぞれ同時に圧接する前記ストリップのフェース（２１，２３）を互いに異なる直線速度（Ｖr，Ｖt）で駆動し、前記部材（１８，１０）が該部材相互間で前記ストリップを延伸するようにする、方法。
【請求項２】
前記フェースを前記移動方向に垂直な平面内において前記ストリップの前記同一断面において互いに異なる速度（Ｖr，Ｖt）で駆動する、請求項１記載の方法。
【請求項３】
前記ストリップが前記部材相互間を通るとき、前記ストリップを巻回して前記ブランクを形成する、請求項１又は２記載の方法。
【請求項４】
横方向巻回を実施する、請求項１〜３のうちいずれか一に記載の方法。
【請求項５】
前記部材のうちの一方は、巻回支持体（１０）を形成している、請求項１〜４のうちいずれか一に記載の方法。
【請求項６】
前記ストリップ（３０）が前記部材のうちの一方から他方に進んでいる状態で、上流側の部材（１８）上の前記ストリップの直線速度（Ｖr）は、下流側の部材（１０）上の前記ストリップの直線速度（Ｖt）よりも低く、前記直線速度は、好ましくは、ゼロではない期間にわたり、一定の差を有する、請求項１〜５のうちいずれか一に記載の方法。
【請求項７】
前記ストリップ（３０）が前記部材のうちの一方から他方に進んでいるとき、前記２つの部材のうちの一方、例えば上流側の部材（１８）上における前記ストリップ（３０）の直線速度（Ｖt）は、ゼロではない期間にわたり、例えば、前記ブランクの製造のための前記ストリップの全供給期間にわたり、一定である、請求項１〜６のうちいずれか一に記載の方法。
【請求項８】
前記ストリップ（３０）が前記部材のうちの一方から他方に進んでいるとき、前記２つの部材のうちの一方、例えば下流側の部材（１０）の回転速度（Ｖt）をゼロではない期間にわたり変化させる、請求項１〜７のうちいずれか一に記載の方法。
【請求項９】
車両用タイヤの未硬化ブランク（３４）の製造設備（２）において、前記設備は、
‐２つの可動部材（１８，１０）を有し、前記設備は、ゴムのストリップ（３０）を前記２つの可動部材相互間に通過させることができ、前記部材のうちの一方は、前記ストリップを押し出すローラ（１８）を形成し、
‐前記２つの部材（１８，１０）を制御して前記通過中、前記ストリップの移動方向に垂直な平面内に前記ストリップの同一断面を形成すると共に前記部材にそれぞれ同時に圧接する前記ストリップのフェース（２１，２３）を互いに異なる直線速度（Ｖr，Ｖt）で駆動し、前記部材（１８，１０）が該部材相互間で前記ストリップを延伸するようにする自動化手段（３２）を有する、設備。
【請求項１０】
前記部材は、加熱手段を備えていない、請求項９記載の設備。
【請求項１１】
車両用タイヤの未硬化ブランク（３４）において、前記ブランクは、数回のターンにわたって巻回されると共に前記ブランクの主要軸線（３５）に対して半径方向平面内に断面を備えた単一ストランドの状態のゴムの途切れていないストリップ（３０）を有し、前記断面は、前記ストリップに沿って不定表面積を有し、前記ブランクの前記半径方向平面内に延びると共に前記ストリップに沿って互いに相前後して位置した前記ストリップの少なくとも２つの断面において、前記ストリップの中間繊維（３７）が前記軸線に沿ってそれぞれ互いに異なる位置を占めるようになっている、未硬化ブランク。
【発明の詳細な説明】
【技術分野】
【０００１】
本発明は、ストリップによる生又は未硬化タイヤブランクの製造に関する。
【背景技術】
【０００２】
極めて多くのターンを形成するストリップをドラムに巻き付けることによってタイヤブランクを製造することが慣例である。巻回中、ストリップを都合よく位置決めすることによって、ブランクの輪郭形状に特定の形状及び寸法が与えられる。特に、ブランクのトレッドの大部分を比較的大きな断面を備えた表面領域を有するストリップによって形成し、次に、これよりも小さな断面及びそれよりも厚さの減少した表面領域を有する別形式のストリップによりブランクの外側形状を定め、それにより、より詳細な形状をブランクの外側フェースに与えることができるようにすることが慣例である。
【発明の概要】
【発明が解決しようとする課題】
【０００３】
各ストリップを押出しによって製造し、次に即座に巻回してブランクを形成する。したがって、ストリップの形式を変更するには、製造を中断するインターベンション（介入）、例えば押出機の新たな調整が必要である。同様に、断面が異なる特性を有するストリップを必要とする別形式のタイヤ用のブランクを製造することが望ましい場合、押出機の調節を修正することが必要である。これらインターベンションにより、同一ブランク又は互いに異なるモデルに対応した一連のブランクの製造が遅くなる。
【０００４】
本発明の一目的は、この技術によるブランクの製造を速めることにある。
【課題を解決するための手段】
【０００５】
したがって、本発明によれば、車両用タイヤの未硬化ブランクの製造方法において、ゴムのストリップを押し出してこのストリップが２つの部材相互間を通るように製作し、２つの部材のうちの一方は、ストリップを押し出すローラを形成し、ストリップの移動方向に垂直な平面内にストリップの同一断面を形成すると共に部材にそれぞれ同時に圧接するストリップのフェースを互いに異なる直線速度で駆動し、部材がこれら部材相互間でストリップを延伸するようにすることを特徴とする方法が提供される。
【０００６】
かくして、延伸は、ストリップの同一断面（横断面）内で実施される。この延伸により、ストリップの断面積、及び特にその厚さの変化が生じる。したがって、延伸具合を加減することによってストリップの断面の表面積を選択することが容易である。この選択は、上流側におけるストリップの供給について例えば押出しによるインターベンションなしに実施できる。したがって、ブランクを形成するために用いられるストリップの特性を変更することがいつでも可能である。
【０００７】
この変更は、ブランクを形成するために用いられるストリップの厚さを変化させるために巻回中に実施できる。したがって、第１の断面積を有するストリップのターンを備えたブランクの一部分を製造し、次に別の断面積を有するストリップのターンを備えたブランクの別の部分を製造することが可能である。
【０００８】
互いに異なる形式のブランクを首尾良く製造することが課題である場合、ストリップに対して行われる延伸具合を変更することによって、ストリップの寸法特性を極めて迅速に変化させることが可能である。
【０００９】
それにより、あらゆる場合において、ブランクの製造が速められ、しかしながら、この場合、ブランクの寸法特性との適合性が損なわれることはない。
【００１０】
フェースを移動方向に垂直な平面内においてストリップの同一断面に関して互いに異なる速度で駆動する。
【００１１】
これにより、ストリップの剪断が行われる。
【００１２】
好ましくは、ストリップが部材相互間を通るとき、ストリップを巻回してブランクを形成する。
【００１３】
一般に、ストリップの巻回全体を通じて、ストリップがブランク上へのその巻回時に、ブランクの軸線に対して半径方向の断面を有し、この軸線に平行なこの断面の幅は、ブランクの幅の１／４よりも小さい。
【００１４】
また、好ましくは、横方向巻回が実施される。
【００１５】
かくして、巻回軸線に平行な方向におけるこれら部材に対する巻回支持体のこの摺動により、ブランクの製造中、ブランク上におけるストリップの中間繊維の位置を変更することが可能である。それにより、ストリップを製造中、ブランクのプロフィール上の互いに異なる場所に配置することが可能である。したがって、同一の半径方向平面内に位置するストリップの断面が通常、部分的にオーバーラップするようにすることが可能である。大抵の場合、この断面は、平べったい形態に配置されることはなく、これら断面は、軸線に対して半径方向に積み重ねられることはない。これら断面のうちの何割かは、側方に積み重ねられる。
【００１６】
有利には、部材のうちの少なくとも一方は、巻回支持体を形成する。
【００１７】
かくして、この方法を実施する設備の寸法が減少し、ブランクの製造が速められる。というのは、ストリップは、限られた数の部材上を通過するからである。
【００１８】
有利には、ストリップが部材のうちの一方から他方に進んでいる状態で、上流側の部材上のストリップの直線速度は、下流側の部材上のストリップの直線速度よりも低い。
【００１９】
有利には、直線速度は、ゼロではない期間にわたり、一定の差を有する。
【００２０】
好ましくは、ストリップが部材のうちの一方から他方に進んでいるとき、２つの部材のうちの一方、例えば上流側の部材上におけるストリップの直線速度は、ゼロではない期間にわたり、例えば、ブランクの製造のためのストリップの全供給期間にわたり、一定である。
【００２１】
したがって、例えばストリップの供給、特にその押出しを一定速度で実施することが可能である。
【００２２】
有利には、ストリップが部材のうちの一方から他方に進んでいるとき、２つの部材のうちの一方、例えば下流側の部材の回転速度をゼロではない期間にわたり変化させる。
【００２３】
ストリップは、例えば、ブランクのトレッドを形成する。
【００２４】
また、本発明によれば、本発明の方法を用いる車両用タイヤの製造方法が提供される。
【００２５】
また、本発明によれば、車両用タイヤの未硬化ブランクの製造設備において、設備は、
‐２つの可動部材を有し、設備は、ゴムのストリップを２つの可動部材相互間に通過させることができ、部材のうちの一方は、ストリップを押し出すローラを形成し、
‐２つの部材を制御して通過中、ストリップの移動方向に垂直な平面内にストリップの同一断面を形成すると共に部材にそれぞれ同時に圧接するストリップのフェースを互いに異なる直線速度で駆動し、部材がこれら部材相互間でストリップを延伸するようにする自動化手段を有することを特徴とする設備が提供される。
【００２６】
部材は、加熱手段を備えないよう構成される。
【００２７】
具体的に説明すると、本発明は、部材がストリップを加熱することなく実施可能である。
【００２８】
この設備がブランクのための巻回支持体を有し、この支持体が巻回軸線に平行な方向において設備のフレーム上で摺動するよう設けられ、供給部材は、このフレームに対して、その全体が固定されている。これとは対照的に、支持体をこれがフレームに摺動可能に固定されるよう設けることが可能であり、供給部材は、フレームに対して摺動するよう設けられる。
【００２９】
最後に、本発明によれば、車両用タイヤの未硬化ブランクにおいて、ブランクは、数回のターンにわたって巻回されると共にブランクの主要軸線に対して半径方向平面内に断面を備えた単一ストランドの状態のゴムの途切れていないストリップを有し、断面は、ストリップに沿って不定表面積を有し、ブランクの半径方向平面内に延びると共にストリップに沿って互いに相前後して位置したストリップの少なくとも２つの断面において、ストリップの中間繊維が軸線に沿ってそれぞれ互いに異なる位置を占めるようになっていることを特徴とする未硬化ブランクが提供される。
【００３０】
ストリップは、この場合、たった１本のストランドを有するので、ストリップは、ストリップが同時に巻回された２本又は３本以上のストランドの形態で巻回可能に設けられているゾーンを備えていない。したがって、ストリップがブランクに巻き付けられる前にストリップを長手方向に切断する手段の提供なしで済ますことが可能である。かくして、単一のストランドの状態でブランクに巻き付けられるのは、ストリップの製造及び供給中に供給されるゴムの全体である。
【００３１】
ストリップの中間繊維の運動は、巻回中、即ち、巻回軸線に平行な方向における巻回支持体に対する部材の摺動中に実施される横方向巻回に起因して生じ、その目的は、ブランク内におけるストリップの全体的位置を変更することにある。
【００３２】
本発明の他の特徴及び他の利点は又、添付の図面を参照して非限定的な実施例として与える実施形態の以下の説明から明らかになろう。
【図面の簡単な説明】
【００３３】
【図１】本発明の方法を実施するために用いられる設備の略図である。
【図２】図１の設備の詳細図である。
【図３】図２の設備のローラノーズの図である。
【図４】図３の細部Ｄの拡大図である。
【図５】図１〜図４の設備によって製造されたタイヤブランクの部分断面図である。
【図６】図１の設備において変形例として用いられるストリップの断面を示す図である。
【発明を実施するための形態】
【００３４】
図１〜図４は、未硬化タイヤブランクの製造に用いられる本発明の設備２を有している。これらタイヤブランクは、乗用車、ユーティリティビークル、重車両又は二輪車のホイール用又は建設車両用のタイヤであるのが良い。
【００３５】
好ましくは、この設備は、以下に詳細に説明する或る特定の観点を除き、本出願人名義の仏国特許第２，９１４，５８１号明細書において与えられている説明に全体として一致するよう構成されており、これ以上の詳細についてはこの仏国特許明細書を参照されたい。
【００３６】
以下に説明する方法は、ブランクのトレッドの製造に用いられるが、本発明は、ブランクのこの部分の製造に限定されるものではなく、ブランクの１つ又は２つ以上のサイドウォールを作るために利用できる。
【００３７】
設備２は、押出機４、押出しブレード６、ローラノーズ８及びブランク３４の製造中、ブランク３４を支持する設計された型又はドラム１０を有する。
【００３８】
押出機４は、ゴムを形成し、特にゴムとエラストマーとを含む混合物を受け入れる手段１２を有する。押出機は、この混合物を押出しブレード６とノーズ８のローラ１８との間に形成された押出しオリフィス１６中に押し込むストックスクリュー１４を有している。ブレード６は、ローラノーズの弓形部を形成し、ゴムをオリフィス１６まで案内する部分２０によって支持され、バンドを形成するゴムのストリップ３０がこのオリフィスから出現する。ローラ１８は、ドラム１０の回転軸線２４に平行な水平軸線２２回りに回転するよう設けられている。ノーズ８は、この場合、オリフィス１６中に押し出されたゴムのストリップ３０により形成されるバンドの厚さを測定する部材２６を有する。したがって、この部材により、軸線２２に対して半径方向に測定されたバンドの厚さの適合性を制御することができる。この部分２０は、押出しプロセスを制御するために弓形部の温度を測定する部材２１を支持している。
【００３９】
ストリップ３０は、特に、図５において完成状態のブランク３４上に示されており、図５は又、ブランクの主要軸線３５を示している。ブランクは、軸線３５を備えた全体としてドーナツ形の形状を有している。ストリップ３０は、この場合、その運動方向に垂直な平面内に、長方形の形をした断面を有する。しかしながら、ストリップに断面の別の形状、例えば図６に示されているレンズの形を与えることによってストリップ３０を製造するよう選択することが可能である。
【００４０】
ドラム１０は、図示していないが、ドラムをその軸線２４回りに回転させるために用いられる変速駆動手段と関連している。設備２は、押出機４、特にローラ１８及びドラム１８の回転速度を制御することができる制御手段３２を有している。これら手段は、これら手段が以下に説明する方法のステップの全て又は一部分を制御することができるようにするコンピュータ要素、例えばプロセッサ、メモリ及びクロックを含む。この制御は、コード命令を含むデータ格納媒体に格納されているプログラムによって実施され、これらコード命令は、これらが実行されると、これらステップの実施を制御することができる。
ドラム１０は、この場合、円筒形の形をしたその周囲フェース１３がローラの周囲フェース１９と逆に延びるよう位置決めされている。ストリップ３０の巻回中の任意の時点において、ストリップ３０は、それ自体のための通路１７を形成する２つの部材相互間を通過し、そしてこれら２つの部材相互間で加圧されてこれらに圧接する。この場合、ノーズを備えた押出機を軸線２２，２４に平行な図示されていない水平軸線回りに関節運動させるようになっており、その目的は、この通路を保つ一方で、ストリップのターンがドラム上に堆積してブランクの全直径を増大させるようにすることにある。また、ノーズを備えた押出機を軸線２２，２４に垂直な図示していない水平軸線回りに関節運動させるようになっており、その目的は、ストリップをブランク中に配置しやすくすることにある。
【００４１】
次に、この設備を用いた本発明の方法の実施について説明する。
【００４２】
この実施例では、ブランク３４の製造中、押出機４によってストリップ３０を押し出す。したがって、ストックスクリュー１４により押されたゴムは、オリフィス１６中に押し出されて長方形断面のストリップが形成される。この断面の主要フェースを形成する断面の２つの広い側部は、局所的に互いに平行である。
【００４３】
ステップ３０は、先ず最初に、ローラ１８の円筒形外側フェース１９の一部分上をその円周方向に、ローラ１８によって回転する仕方で、この場合、図では時計回りの方向に移動する。
【００４４】
ストリップ３０は、次に、通路１７に入る。この時点において、ストリップ３０は、ノーズ１８と接触状態にあり、そして、ローラを立ち去ろうと準備しているストリップの上側フェース２１がノーズ１８に圧接し、そしてストリップの下側フェース２３がドラム１０に圧接し、下側フェース２３は、ストリップを下流側に、この場合、時計回りの方向に回転させるドラムの外側フェース上に移る。ストリップ３０は、数回のターンの状態で軸線２４回りにドラム１０の円周方向にドラム１０上に巻回され、軸線２４は、ブランクの軸線３５に一致している。巻回の開始時、ストリップの到来部分の下側フェース２３は、ドラムに接触する。次に、ストリップの下側フェースは、既に巻回されているストリップターンの外側フェースに接触する。
【００４５】
制御手段３２は、ローラ１８及びドラム１０の回転をそれぞれの角速度で制御し、その結果、通路１７内における製造中の少なくとも或る特定の時点において、ストリップ３０の下側フェース２３（ドラム１０に移っている）の直線速度Ｖtは、その上側フェース２１（ローラ１８を立ち去っている）の直線速度Ｖrよりも高い。この不一致は、ストリップの局所移動方向に垂直な平面内で取ったストリップの断面内のフェース２１，２３に関連している。対応の２つの速度ベクトルが図４に示されている。これら速度ベクトルは、同一直線上に位置している。この断面の種々の高さ位置は、２つのフェース相互間において、２つのフェースの速度相互間の空間的勾配を形成する速度を有する。
【００４６】
この実施例では、これは、ストリップによってブランクの製造中の任意の時点で起こることが可能である。ストリップ３０は、ローラ１８とドラム１０との間でその断面が永続的に延伸されることが推定される。
【００４７】
この場合、延伸は、上側フェース２１を延伸しないで下側フェース２３について実施され、それにより、ストリップの局所平面に平行な方向におけるストリップの剪断が生じる。その結果、ストリップのこの断面の形状及び寸法が変更される。特に、この断面の表面積及び特にその厚さが減少する。ストリップがブランク３４を形成するようドラム１０に巻き付けられるのは、この延伸形態においてである。ストリップの延伸及びドラムへのその巻き付けは、ストリップが依然として高温状態にあるときに実施される。この段階では、ゴムは、依然として極めて高い可塑性を有し、それにより、ゴムは、裂けることなくこの相当な剪断に耐えることができる。
【００４８】
直線速度Ｖr，Ｖtは、幾つかのゼロではない期間にわたり一定の差を有する。また、直線速度Ｖrは、ブランクの製造のためにストリップの供給全体を通じて一定である。したがって、ドラム１０の回転速度を幾つかのゼロではない期間にわたり変化させる。
【００４９】
したがって、ストリップの断面は、ストリップがブランクを形成するよう巻回されている間変化する。
【００５０】
制御手段３２は又、場合によってはこれら制御手段が回転速度を制御するのと同時に、横方向巻回、即ち、巻回中、ノーズ８に対する軸線３５に沿うドラム及びブランクの摺動を制御する。
【００５１】
ここで観察されるべきこととして、ストリップは、単一のストランドの状態にあり、この場合、設備には切断装置が設けられていない。同様に、ストリップの経路中にはノーズ及びドラムの他に延びる部材は存在しない。
【００５２】
したがって、この実施例では、図示のブランク３４の断面上に、ストリップ３０の幾つかの形式の断面が存在し、他方、図５に示されているブランクの部分は、単一のストリップ３０の途切れのない巻回によって製造されている。それぞれ厚い厚さ３０ａ、中間の厚さ３０ｂ及び大きな厚さ３０ｃを備えた３つの形式の断面が図示されており、これらの特徴は、互いに関連している。製造は、ブランクの内側部分を形成するよう薄いストリップの断面３０ａで始まって実施される。製造は、ストリップの厚さを順番に増大させて厚い厚さの断面３０ｃを備えたストリップを定位置に置くためにドラム１０を減速させることによって続く。次に、ドラムの速度を再び増大させてストリップの厚さを減少させ、これを中間の厚さの断面３０ｂをブランク上の定位置に配置する。次に、製造は、再びドラム１０の速度を増大させて薄い厚さのストリップ断面３０ａをブランクの外側部分上の定位置に配置することによって完了する。
【００５３】
図５は、ストリップがブランクの軸線３５回りの数十個のターンの状態に配置されている状態を示している。大抵の場合、ストリップの現在の断面は、ストリップの先のターンの少なくとも１つの断面と部分的にオーバーラップしており、そしてこの現在の断面は、それ自体、ストリップの次のターンの１つ又は２つ以上の断面とオーバーラップする。
【００５４】
この実施例では、ストリップ３０は、オリフィス１６の出口のところに、３３．３平方ミリメートルの断面積及び毎秒３．３３メートルの速度を有する。厚さ３０ａは、ドラム１０の表面のところのストリップの直線速度が毎秒５．２２メートルの場合、２１．２平方ミリメートルストリップの断面積に対応している。中間厚さ３０ｂの場合、これらの値は、それぞれ２５平方ミリメートル及び毎秒４．４３メートルである。厚い厚さ３０ｃの場合、これらの値は、２８．７平方ミリメートル及び毎秒３．８７メートルに変わる。当然のことながら、ドラム１０の速度が高ければ高いほど、ストリップの断面の表面積がそれだけ一層小さくなると共に軸線２４に対して半径方向のその厚さがそれだけ一層小さくなる。
【００５５】
本発明の方法により、図５に示されているようにブランクの全体的プロフィールのアーキテクチャの種々の寸法上の制約に適合させることが可能である。したがって、ブランクは、軸線３５に沿って、中空ゾーン４２だけ隔てられた中実ゾーン又は充填ゾーン４０を有することができる。
【００５６】
スラブとも呼ばれる中実ゾーン４０内では、ストリップの少なくとも或る特定の断面に大きな表面積が与えられる。他方、中空ゾーン又は中空部４２内では、減少した断面の表面積を有するストリップのほんの僅かな厚さ分が存在する。この厚さ分は又、特にスラブゾーン４０のブランク全体の外側を被覆するために用いられる。
【００５７】
本発明の方法により巻回中、摺動によりストリップの断面の表面積及び巻回ゾーンを変化させることができるので、ほんの僅かなストリップの層及び大きな寸法上の精度を有する中空ゾーン４２を形成することが可能であり、他方、大きな断面積を備えたストリップの幾つかのターンを定位置に配置することによりスラブ４０を迅速に作ることができる。
【００５８】
この方法により、これら２つの形式のゾーンの寸法に正確に適合させることが可能である。かくして、軸線３５に対して半径方向に測定した中空部４２の寸法は、トレッドの製造にとって非常に重要である。というのは、かかる中空部４２の寸法は、硬化後のタイヤのクラウンプライの細線の次の位置に直接的な影響を及ぼすからである。この寸法に合致していない場合、タイヤの有効寿命にとって有害なクラウンプライの凹みが観察される。同様に、中実ゾーン４０により形成されるスラブの高さは、加硫後における完成品の品質に直接的な影響を及ぼす。
【００５９】
例えば、ストリップのその表面のところの速度が押出しオリフィスからのその出口のところでストリップの速度よりも約２０％低いようにローラ１８の回転速度を選択することが可能である。
【００６０】
部材１８，１０は、この場合、加熱手段を備えていない。というのは、この方法の実施中、ストリップに熱を加えることが必要ではないからである。
【００６１】
本発明は、毎分最大１０キログラムになる場合のあるストリップ供給量に関し、毎秒５メートルの最大移動速度の場合、表面積が例えば１５平方ミリメートルと５０平方ミリメートルとの間にあるストリップに利用される。押出機４及びローラノーズ８は、ブランク転動ドラム１０と同期される３軸ロボットに据え付けられるのが良い。
【００６２】
この方法の実施中、押出機のオリフィス１６の寸法形状は、一定のままである。これは、有利である。というのは、これとは逆に、等しい供給量に合わせて押出しオリフィスの寸法を変更することによって押出しオリフィスのところのストリップの断面積を減少させることが想定されている場合、これにより、ストリップに対する剪断速度勾配の増大及びかくして押し出された材料の温度の増大が生じると共に押出機の供給量の減少が生じるからである。本発明により、比較的大きなサイズの一定断面を備えたストリップが押し出され、次に、これは、ブランクのクラウン上への配置作業中、多少延伸され、その目的は、ブランクの製造中、この断面を調節することにある。ドラム１０の回転速度を変更することにより、製造を中断させることなく巻回中、ストリップの断面を変化させることができる。
【００６３】
したがって、ブランクは、数回のターンにわたって巻回されると共にストリップに沿って不定表面積を有する断面を軸線３５に対して半径方向の平面内に有する単一ストランドのゴムの途切れていないストリップ３０を有する。ブランクの半径方向平面内に延びると共にストリップに沿って次々に位置したストリップの少なくとも２つの断面では、ストリップの中間繊維３７は、軸線３５に沿うそれぞれの互いに異なる位置を占める。
【００６４】
平方ミリメートルで表されたオリフィス１６のところで押し出されるストリップの断面積、毎秒グラムで表されるストリップの供給量、製造されるべきトレッドの重量、秒で表されるブランク上へのストリップの配置時間、平方ミリメートルで表されるドラム上に配置される断面の表面積及び最後に毎秒メートルで表される配置速度に適合した幾つかの定量的情報が以下に与えられている。
【表１】
2013537121.tif 000003
【００６５】
ブランクの製造後、ブランクにタイヤ製造の通常のステップ、特にブランクを硬化させるための加硫を施す。
【００６６】
別の実施形態では、ブランクの製造全体を通じて、ノーズ１８及びドラム１０の回転速度を一定にすることが可能である。直線速度Ｖr，Ｖtは、ストリップを延伸するために互いに異なったままである。したがって、ブランクは、単一形式の断面を有するステップで作られる。製造後、別の形式のブランクを作るためには、回転速度の差を変更するだけで十分である。このように、バンドの断面を製造されるべきブランクの形式に合わせてこれら種々のモデルを連続的に製造する機械の生産性を損なうことがないようにすることが可能である。例えば、３３．３ｍｍ2の断面積を有するバンドを押し出し、３．６７ｍ／ｓで２０〜３０ｍｍ2のバンド断面積を有する連続したブランクを製作することが可能である。
【００６７】
単一の延伸ストリップによってブランクのトレッドを製作することが有利であるが、同一ブランクについて数個の延伸ストリップを連続して又は同時に用いることによって本発明を実施することが可能である。
【００６８】
また、ストリップを巻回の一部分についてのみ延伸することが可能である。この場合、ブランクは、断面が押し出された断面と実質的に同一であるストリップの１つ又は２つ以上のターン及び断面が延伸に続いて変更されるストリップの１つ又は２つ以上のターンを有することになろう。
【００６９】
別の実施形態では、ドラム１８をローラ１０から遠ざけてストリップが一方の部材から他方の部材に移るときにストリップがこれら２つの部材と同時に接触しないようにすることが可能である。したがって、ストリップが立ち去ったノーズとストリップがまだ移っていないドラムとの間で延伸されるストリップの断面長さが存在する。制御手段３２は、ローラ１８及びドラム１０の回転をそれぞれの角速度で制御し、製造中の少なくとも或る特定の時点において、ストリップ３０がドラム１０に移っているときにストリップ３０の直線速度Ｖtは、ストリップがローラ１８を出るときのストリップの直線速度Ｖrよりも高いようにする。その結果、ストリップ３０をローラ１８からの出口とドラム１０への入口との間に位置するその断面長さの全長に沿って永続的に延伸される。この延伸により、ストリップの移動方向に垂直な平面内で取ったストリップの断面の形状及び寸法の変化が生じる。特に、この断面の表面積及び特にその厚さが減少する。ストリップがブランク３４を形成するためにドラム１０に巻き付けられるのは、この延伸形態においてである。この時点では、断面の剪断が生じない。
【００７０】
しかしながら、この実施形態は、張力が押出しオリフィスに伝達される場合があり、それにより押出しストリップの寸法特性に適合させることは困難なので、有利さの度合いは低い。
【図１】
2013537121.tif 000004
【図２】
2013537121.tif 000005
【図３】
2013537121.tif 000006
【図４】
2013537121.tif 000007
【図５】
2013537121.tif 000008
【図６】
2013537121.tif 000009
【国際調査報告】
2013537121.tif 000010
2013537121.tif 000011
2013537121.tif 000012
2013537121.tif 000013
2013537121.tif 000014
2013537121.tif 000015